(57)【要約】  電話通信ゲートウェイとエンドオフィススイッチとの間の共有された電話中継方式を提供するためのアプローチが説明される。電話通信ゲートウェイは、パケット化音声の呼を処理すると共に、共有された電話中継回線を、回線交換の電話網の呼を切り替えるように構成されたエンドオフィススイッチ（例えば、クラス５スイッチ）に接続する。電話中継回線は、パケット化音声の呼の呼確立または呼解放を支援する帯域外周波信号方式（例えば、１次群インターフェース（ＰＲＩ））を利用する。
2008533771.tif 000002
【特許請求の範囲】
【請求項１】
回線交換の電話網の呼を切り替えるように構成されたエンドオフィススイッチと、
前記エンドオフィススイッチによる通信を複数のユーザに提供すると共に、パケット化音声の呼の呼確立または呼解放を支援する帯域外周波信号方式を利用するように構成された電話通信ゲートウェイと
を備えることを特徴とする通信システム。
【請求項２】
１次群インターフェース（ＰＲＩ）の信号伝達を支援する電話中継回線が、前記エンドオフィススイッチと前記電話通信ゲートウェイとの間の接続性を提供する
ことを特徴とする請求項１に記載のシステム。
【請求項３】
前記複数のユーザが、共通のレートセンタ（ＲＣ）／緊急応答機関（ＰＳＡＰ）の中にいる
ことを特徴とする請求項２に記載のシステム。
【請求項４】
前記パケット化音声の呼が、セッションイニシエーションプロトコル（ＳＩＰ）に従って確立される
ことを特徴とする請求項１に記載のシステム。
【請求項５】
前記パケット化音声と関連付けられた発信者番号が、前記ユーザの内の一人のネットワークまたは装置に送信される
ことを特徴とする請求項１に記載のシステム。
【請求項６】
呼処理の方法であって、
電話通信ゲートウェイと、回線交換の電話網の呼を切り替えるように構成されたエンドオフィススイッチとの電話中継回線接続を介したパケット化音声の呼を、前記電話通信ゲートウェイにおいて受信する段階と、
前記ユーザの内の一人のネットワークまたは装置において、前記パケット化音声の呼を終端処理する段階とを含み、
前記電話中継回線が、複数のユーザによって共有されると共に、
前記電話中継回線が、前記パケット化音声の呼の呼確立または呼解放を支援する帯域外周波信号方式を利用する
ことを特徴とする呼処理の方法。
【請求項７】
前記電話中継回線が、１次群インターフェース（ＰＲＩ）の信号伝達を支援する
ことを特徴とする請求項６に記載の方法。
【請求項８】
前記複数のユーザが、共通のレートセンタ（ＲＣ）／緊急応答機関（ＰＳＡＰ）の中にいる
ことを特徴とする請求項７に記載の方法。
【請求項９】
前記パケット化音声の呼が、セッションイニシエーションプロトコル（ＳＩＰ）に従って確立される
ことを特徴とする請求項６に記載の方法。
【請求項１０】
前記電話中継回線が、前記パケット化音声と関連付けられた発信者番号を、前記ネットワークまたは前記装置に伝送する
ことを特徴とする請求項６に記載の方法。
【請求項１１】
回線交換の電話網の呼を切り替えるように構成されたエンドオフィススイッチと、
パケット化音声の呼を処理するように構成された電話通信ゲートウェイと通信するために前記エンドオフィススイッチに接続された電話中継回線とを備え、
前記電話中継回線が、複数のユーザによって共有されると共に、
前記電話中継回線が、前記パケット化音声の呼の呼確立または呼解放を支援する帯域外周波信号方式を利用する
ことを特徴とする通信システム。
【請求項１２】
前記電話中継回線が、１次群インターフェース（ＰＲＩ）の信号伝達を支援する
ことを特徴とする請求項１１に記載のシステム。
【請求項１３】
前記複数のユーザが、共通のレートセンタ（ＲＣ）／緊急応答機関（ＰＳＡＰ）の中にいる
ことを特徴とする請求項１２に記載のシステム。
【請求項１４】
前記パケット化音声の呼が、セッションイニシエーションプロトコル（ＳＩＰ）に従って確立される
ことを特徴とする請求項１１に記載のシステム。
【請求項１５】
前記電話中継回線が、前記パケット化音声と関連付けられた発信者番号を、前記ユーザの内の一人のネットワークまたは装置に伝送する
ことを特徴とする請求項１１に記載のシステム。
【発明の詳細な説明】
【技術分野】
【０００１】
本発明は、通信に関すると共に、特に市内電話中継方式に関するものである。
【背景技術】
【０００２】
インターネットの人気及び利便性は、伝統的な電話通信サービスの再発明に帰着した。これらのサービスは、ユーザにかかるコストが最小か、またはユーザにかかるコストがないパケット交換ネットワークによって提供される。ＩＰ（Internet Protocol）電話は、従って、特に長距離市場における意義深い成功を発見した。概して、インターネット電話（ＶＯＩＰ）とも言われるＩＰ電話通信は、音声情報のＩＰネットワークを介して送信されるデータパケットへの変換である。電気通信サービスプロバイダは、従って、彼らの現存するネットワークにおいてＶＯＩＰ技術及びサービスを統合することを求められる。レガシーシステム及びプロトコルの工学的制約のために、新しいプラットフォームへの移行は、ネットワーク資源の非能率的な使用に帰着し得る。
【発明の開示】
【発明が解決しようとする課題】
【０００３】
具体的には、サービスプロバイダについての懸念される１つの領域は、ＩＰ電話通信ゲートウェイからクラス５スイッチまでの電話中継回線の効率的な使用である。伝統的な電話通信交換の階層型方式において、クラス５スイッチは、電話加入者と直接通信するために配置される。従来は、主に、全ての顧客が専用の電話中継回線を必要とするので、ゲートウェイとクラス５スイッチとの間の電話中継回線の利用は、不十分であった。結果として、たとえ特定の顧客が電話中継回線を利用していないとしても、それによって他のユーザが容量を“浪費する”ことはできない。その上、新しい電話中継回線の供給処理は、手作業で集中的であり得る。
【０００４】
別の懸念は、チャネルアソーシエーテッドシグナリング（Channel Associated Signaling：ＣＡＳ）(帯域内信号方式)のように、従来の電話通信信号方式が柔軟性のないことである。特に、発信者番号情報は、この信号伝達プロトコルの下では中継できない。一般的なユーザが、彼らの呼を選別するために、発信者番号通知のような特徴に順応するので、この制限は、著しくサービス導入を妨げる。
【０００５】
従って、効率的な電話中継方式アプローチ（trunking approach）の必要性がある。同様に、システムの複雑さ及びコストを最小限にしながら、ネットワークサービスの配置を促進するために標準のアーキテクチャを保護する必要性がある。
【０００６】
これらの必要性、及び他の必要性は、電話通信ゲートウェイとエンドオフィススイッチ（end office switch）との間で共有された電話中継方式アプローチが提供される本発明によって対処される。
【課題を解決するための手段】
【０００７】
本発明の１つの特徴によれば、通信システムは、回線交換の電話網の呼を切り替えるように構成されたエンドオフィススイッチを備える。通信システムは、同様に、エンドオフィススイッチによる通信を複数のユーザに提供すると共に、パケット化音声の呼の呼確立または呼解放を支援する帯域外周波信号方式を利用するように構成された電話通信ゲートウェイを備える。
【０００８】
本発明の別の特徴によれば、呼処理の方法が開示される。方法は、電話通信ゲートウェイと、回線交換の電話網の呼を切り替えるように構成されたエンドオフィススイッチとの電話中継回線接続を介したパケット化音声の呼を、前記電話通信ゲートウェイにおいて受信する段階を含み、電話中継回線は、複数のユーザによって共有される。電話中継回線は、パケット化音声の呼の呼確立または呼解放を支援する帯域外周波信号方式を利用する。方法は、同様に、ユーザの内の一人のネットワークまたは装置において、パケット化音声の呼を終端処理する段階を含む。
【０００９】
本発明の更にもう一つの特徴によれば、通信システムは、回線交換の電話網の呼を切り替えるように構成されたエンドオフィススイッチを備える。通信システムは、同様に、パケット化音声の呼を処理するように構成された電話通信ゲートウェイと通信するためにエンドオフィススイッチに接続された電話中継回線とを備え、電話中継回線は、複数のユーザによって共有される。電話中継回線は、パケット化音声の呼の呼確立または呼解放を支援する帯域外周波信号方式を利用する。
【００１０】
更に、本発明の他の特徴、特性、及び利点は、本発明を実行するために熟考された最も良いモードを含む多くの特定の実施例及び実装を単に例証することによって、以下の詳細な説明から容易に明白になる。本発明は、同様に、他の実施例、及び異なる実施例が可能であり、そして、そのいくつかの詳細は、本発明の精神、及び範囲から全くはずれずに、様々な明白な点において修正され得る。従って、実際は、図及び説明は、限定的ではなく、実例となると見なされるべきである。
【発明を実施するための最良の形態】
【００１１】
本発明は、添付図面の図表において、限定する目的ではなく、一例として例証されると共に、添付図面の図表の中で、同一の参照符号は、同一の要素を参照する。
【００１２】
電話通信ゲートウェイとエンドオフィススイッチとの間で共有された電話中継回線を提供するためのシステム、方法、及びソフトウェアが説明される。以下の説明において、説明の目的のために、多数の特定の詳細が本発明の完全な理解を提供するために説明される。しかしながら、本発明はこれらの特定の詳細がなくても、もしくは同等の装置によって実行され得るということが、当業者には明白である。他の場合において、本発明を不必要に不明瞭にすることを回避するために、周知の構造及び装置はブロック図形式で説明される。
【００１３】
本発明は、１次群インターフェース（ＰＲＩ）の信号伝達に関して検討されるが、当然のことながら、当業者は、本発明が他の同等の通信プロトコルに対する適用性を有しているということを認識するであろう。
【００１４】
代表的な実施例によれば、ローカルな電話通信ゲートウェイとエンドオフィススイッチ（例えば、クラス５スイッチ）との間の電話中継方式に関するアプローチが提供される。ＰＲＩ電話中継回線は、ゲートウェイと、レートセンタ（Rate Center：ＲＣ）と緊急応答機関（Public Safety Answering Point：ＰＳＡＰ）との組み合わせの中の全ての顧客に対するクラス５スイッチとの間で形成されると共に、供給される。共有されたＰＲＩ電話中継回線によって、発信者番号が顧客に有利に提供され得る。アプローチは、同様に、インターネット電話（ＶＯＩＰ）の呼を確立することと関連付けられたポストダイヤル遅延（post-dial delay）を減少させる。更に、電気通信サービスプロバイダは、ポート、及び労働コストを削減し得る。
【００１５】
図１は、共有された市内電話中継方式アプローチを提供することが可能である、本発明の実施例による通信システムの図である。通信システム１００は、プレインオールドテレフォンサービス（Plain Old Telephone Service：ＰＯＴＳ：アナログ音声電話）と同様に、ＶＯＩＰサービスをサポートする電話通信ゲートウェイ１０１を備える。ゲートウェイ１０１は、本発明の実施例に従って、電話通信ネットワークとインターネットプロトコル（ＩＰ）ドメインとの間の接続のために、１次群インターフェース（ＰＲＩ）をセッションイニシエーションプロトコル（ＳＩＰ）ゲートウェイに提供することによって、複数の顧客、例えば顧客ネットワーク１０３及び１０５に対応している。ゲートウェイ１０１は、ＩＰが使用可能にされた場所（IP-enabled location）からの発信と、ＩＰが使用可能にされた場所への終端の両方を支援する。一般的に、ゲートウェイ１０１は、指定された経路指定機能、及び番号変換規則を考慮する。ゲートウェイ１０１の構成要素は、図３を参照して以下で説明される。
【００１６】
従って、ゲートウェイ１０１は、グローバルインターネットのような公衆データネットワーク１０７に対する接続性を有している。代表的な実施例において、ネットワークサーバ／リダイレクトサーバ（ＮＳ／ＲＳ）１０９は、セッションイニシエーションプロトコル（ＳＩＰ）を支援するゲートウェイ１０１にサービスを提供するために使用される。ＮＳコンポーネントがＲＳコンポーネントと共に示されるが、サーバが、１つまたは両方のそのような構成要素に分散され得ることが認識される。ＮＳは、番号を受信するか、またはゲートウェイ１０１に送信するＳＩＰプロキシとしての働きをする。ＲＳは、トラフィックを１つのＮＳから他のＮＳ（図示せず）に対してリダイレクトするために使用される。説明のために、ＮＳ／ＲＳは、ＩＰドメインに番号を送信するか、またはＩＰドメインから番号を受信するために、単一のサーバ１０９の中の一関数のように扱われることになる。
【００１７】
ＳＩＰは、インターネットエンジニアリングタスクフォース（Internet Engineering Task Force：ＩＥＴＦ）によって開発された標準である。ＳＩＰは、クライアントが、サービスを提供することができるサーバへ通信により要求を伝えることによって必要なサービスを呼び出すことを一般的に意味するクライアント−サーバモデルに基づく信号伝達プロトコルである。他のＩＥＴＦプロトコル（例えば、簡易メール転送プロトコル（ＳＭＴＰ）、及びハイパーテキスト転送プロトコル（ＨＴＴＰ））と同様に、ＳＩＰは、人間が読みやすい原文のプロトコルである。
【００１８】
代替セッション確立プロトコルは、国際電気通信連合（ＩＴＵ）によって発布されたＨ．３２３プロトコルである。Ｈ．３２３もＳＩＰプロトコルもＩＰ電話通信アプリケーションに制限されないが、しかし、一般的にマルチメディアサービスに対する適用性を有するということが知られている。本発明の一実施例において、ＳＩＰは、通話、及びシステム１００を介した他の種類のセッションを確立するために使用される。しかしながら、（いくらかの修正、または拡張を伴う）Ｈ．３２３プロトコル、もしくは他の同様のプロトコルがＳＩＰの代りに利用されるであろうということが、当業者にとって明白であろう。ＳＩＰから独立しているが、しかし多くの場合はＳＩＰと共に使用されるのは、セッション記述の受信者がセッションに参加することを可能にするために、マルチメディアセッション内のメディアストリームに関する情報を提供するセッション記述プロトコル（Session Description Protocol：ＳＤＰ）である。
【００１９】
ここで使用されるように、用語“ＳＩＰ電話機”は、ＳＩＰ電話機の機能性を提供するように構成される、あらゆるクライアント（例えば、パーソナルコンピュータ、ウェブ用装置等）のことを指している。顧客１０３に付随するＳＩＰ電話機１１１は、スタンドアロン装置の形式を取り得ると共に、例えばＳＩＰ電話機は、プレインオールドテレフォンサービス（ＰＯＴＳ）電話機のように機能し、かつ見えるように設計され、そして構成される。しかしながら、ＳＩＰクライアント１１３は、ソフトウェアクライアントであると共に、例えば従来のパーソナルコンピュータ（ＰＣ）、またはラップトップコンピュータ上で動作し得る。信号伝達の観点から、これらの装置１１１、１１３は、ユーザインタフェースに関する主な差異を備えて、全く同様に動作し得る。特に明示されない限り、ＳＩＰ電話機１１１及びＳＩＰクライアント１１３の両方の機能性は似ていると共に、ネットワークはどちらの種類の装置によっても同様に機能するということが認識される。
【００２０】
ＳＩＰ電話機１１１は、ユーザが、電話機に対して、登録すること及び登録を取り消すこと、またはログインすること及びログアウトすることを可能にする。代表的な実施例において、移動性を提供するために、ＳＩＰ電話機１１１は、訪問者に関して、ユーザ名及びパスワードが入力されることを可能にする。ログインすることは、ＳＩＰ電話機１１１が訪問者のプロファイルを推測することを可能にする。ログインすることによって、訪問者のプロファイルへの電話着信は電話機に誘導される。訪問者がログインするとき、ＳＩＰ電話機１１１は、ＮＳ／ＲＳサーバ１０９に訪問者を記録する。電話機１１１によって記録されたプロファイルの内のいずれかに対する電話着信は、電話機１１１に誘導され得る。ＮＳ／ＲＳサーバ１０９は、同様に、ユーザが訪問者としてログインするか、または、もし１つある場合、ユーザが彼らの通常の家の装置にログインする、両方の状況に応答し得る。
【００２１】
Ｅ．１６４、及びドメインネームサービス（Domain Name Service：ＤＮＳ）アドレス指定に関して、ＳＩＰ電話機１１１は、ＩＰドメインにおいて、またはＥＮＵＭが使用可能にされたネットワークによって生じる呼を経路指定するために使用されるＥＮＵＭ（電子番号：Electronic Number）サービスを支援し得る。ＥＮＵＭサービスは、参照によってその全体がここに組み込まれる、“ＥＮＵＭ”と名づけられた“ＩＥＴＦ  ＲＦＣ  ２９１６”において詳述される。
【００２２】
ゲートウェイ１０１は、エンドオフィス１１７の中の電話スイッチ（例えば、クラス５スイッチ）１１５と通信を行う。本発明の一実施例によれば、ゲートウェイ１０１は、信号伝達システム７（Signaling System 7：ＳＳ７）のような電話通信信号伝達ネットワーク１２１と接続するクラス５スイッチ１１５に対して、共有された電話中継回線１１９を利用する。代表的実施例において、共有された電話中継回線１１９は、帯域外周波信号方式、例えば、統合ディジタル通信網（ＩＳＤＮ）のサービスの一部である１次群インターフェース（ＰＲＩ）電話中継回線信号伝達方式を利用する。ＰＲＩ電話中継回線１１９の構造は、図２で説明される。
【００２３】
従来、電話通信ゲートウェイとクラス５スイッチとの間の通信は、チャネルアソーシエーテッドシグナリング（ＣＡＳ）を利用する電話中継回線によって支援される。これの構成の下で、顧客ＤＳ０のチャンネルは、全ての入力されるトラフィック及びローカルな出力されるトラフィックに関して、共有されたローカルゲートウェイ（Shared Local Gateway：ＳＬＧ）からクラス５スイッチまで占有されなければならない。これは、ゲートウェイと全ての顧客のためのクラス５スイッチとの間に構築される電話中継回線を必要とし、不十分な電話中継回線の利用に帰着する。同様に、これらの電話中継回線の供給は、手動で集中的な処理を必要とする。ＣＡＳ電話中継回線は、発信者番号を支援することができない。これらの障害は、システム１００に使用される共有された電話中継方式アプローチによって克服される。
【００２４】
図２は、レートセンタ（ＲＣ）及び緊急応答機関（ＰＳＡＰ）に従って割当てられるチャンネルを有する、本発明の実施例による電話中継回線の図である。この例において、ＰＲＩ電話中継回線１１９は、複数のＢチャンネル、及び１つのＤチャンネルを備える。例えば、米国において、電話中継回線１１９は、それぞれ６４［ｋｂｐｓ］のＢチャンネル２３個を備えていると共に、Ｄチャンネルは、同様に６４［ｋｂｐｓ］である。世界のほかの地域では、ＰＲＩ電話中継回線１１９は、５６［ｋｂｐｓ］のＢチャンネル３０個を利用すると共に、Ｄチャンネルは、６４［ｋｂｐｓ］である。
【００２５】
本発明の一実施例によれば、同一のレートセンタ（ＲＣ）／緊急応答機関（ＰＳＡＰ）の組み合わせ２０１〜２０５の中にいる顧客は、ゲートウェイ１０１とクラス５スイッチ１１５との間の接続性を提供するＰＲＩ電話中継回線１１９の中のＤＳ０のチャンネルを共有する。容量を共有するためのこの機能は、単一の電話中継回線が個別の顧客に関して個別の電話中継回線を獲得するよりむしろ共有され得るという点で、効率的利用及び関連した費用節約に帰着する。
【００２６】
もう一つの重要な利点は、電話中継回線１１９が発信者番号の通過を支援し得ることである。更に、ＳＩＰの呼設定において、電話中継回線１１９は、ポストダイヤル遅延（post-dial delay）を最小限にする。更に、共有された電話中継回線１１９の中にあるＤＳ０のチャンネルの供給は、伝統的なＣＡＳ電話中継方式アプローチより手動で集中的ではない。
【００２７】
図３は、図１のシステムに使用されるゲートウェイの構成要素の図である。上述のように、ゲートウェイ１０１は、番号解析モジュール３０１、番号変換モジュール３０３、及び経路指定モジュール３０５によって、番号変換機能、及び経路指定サービスを提供する。ゲートウェイ１０１は、同様に、音声ストリームを切り替えると共に、物理的な双方向性のＴＤＭインタフェースとＩＰドメインとの間の変化点としての機能を果たすための時分割多重（ＴＤＭ）スイッチ構造３０７を備える。１つ以上の音声ポート（すなわち、ＰＲＩポート）３０９は、物理的にＰＲＩ電話中継回線１１９と接続するために提供される。ゲートウェイ１０１は、同様に、ＰＲＩポート３０９を制御するために音声コントローラ３１１を備える。ＩＰポート３１３は、公衆データネットワーク１０７、または顧客ネットワーク（例えば、ネットワーク１０３）のようなＩＰドメインに対する接続性を提供する。
【００２８】
モジュール３０１からモジュール３０５は、入力される及び出力されるＰＯＴＳもしくはＶＯＩＰトラフィックを支援する。入力される呼（すなわち、回線交換ネットワークからＳＩＰに対する終端）に関して、モジュール３０１からモジュール３０５は、クラス５スイッチ１１５から全ての番号を収集すると共に、番号をＩＰドメイン内のＮＳ／ＲＳサーバ１０９に送信する。出力される呼（すなわち、ＳＩＰから回線交換ネットワークに対する終端）に関して、モジュール３０１からモジュール３０５は、ＩＰドメイン内のＮＳ／ＲＳサーバ１０９から全ての番号を収集すると共に、番号をクラス５スイッチ１１５に転送する。
【００２９】
図４は、図１のシステムにおける容量を供給するための処理のフローチャートである。ステップ４０１において、１つ以上のＤＳ０のチャンネルのような容量を求める要求が顧客から受信される。ステップ４０３のように、ＲＣ／ＰＳＡＰの組み合わせが顧客のために決定される。それ以降、ステップ４０５のように、顧客の帯域幅要求を満たすために、顧客に共有されたＰＲＩ電話中継回線１１９の中の容量が割当てられる。
【００３０】
共有された電話中継回線１１９を供給する場合に、ＰＲＩグループが作成される。ＰＲＩグループは、特定のＲＣ／ＰＳＡＰを提供するために単一の音声コントローラ３１１に対して構築されるＰＲＩ電話中継回線１１９である。音声コントローラ３１１とＰＲＩグループの組み合わせは、作成された全てのＰＲＩグループに特異性を提供する。ＰＲＩグループが作成されるとき、シリアルインタフェース及び音声ポートが自動的に作成され、両方が作成されるが、それらは異なって識別される。
【００３１】
ＣＡＳ電話中継方式と対称的に、ＰＲＩの共有電話中継方式を使用する顧客は、ゲートウェイ１０１上で供給されるＤＳ０のチャンネルの専用のセット番号を有していない。各顧客は、特定のＰＲＩ電話中継回線１１９上のＤＳ０のチャンネルを共有する。“９１１”及び“Ｅ９１１”の目的のために、そして各ＰＲＩグループが１つのＲＣ／ＰＳＡＰの組み合わせに対して終端するので、そのＲＣ／ＰＳＡＰの組み合わせによって扱われる顧客のみが、ＰＲＩ電話中継回線１１９を共有し得る。ここで、ＰＲＩの共有電話中継方式のための高水準の呼のフローが説明される。
【００３２】
出力される呼に関して、全ての市内中継線グループの経路指定は、共有された電話中継回線の７桁の電話中継回線ＩＤの識別を必要とする。ＲＣ／ＰＳＡＰの組み合わせに特有の数値識別子であるこの番号は、局所的な顧客トラフィックのあらゆる供給の前に獲得される。この７桁の電話中継回線ＩＤは、パターンマッチを行うために使用される。
【００３３】
外部終端を必要とする全ての市内中継線グループは、ＮＳ／ＲＳサーバ１０９が提供するＩＮＶＩＴＥメッセージのリクエストＵＲＩ（Request Uniform Resource Identifier）の先頭に付加された対応する７桁の電話中継回線ＩＤを有している。ゲートウェイ１０１は、７桁の電話中継回線ＩＤを取り去ると共に、残っている数字を適切なＣｌａｓｓ５スイッチ１１５に渡す。
【００３４】
市内中継線グループの入力される呼に関して、クラス５スイッチ１１５は、１０桁のダイヤルされた番号をゲートウェイ１０１へ送信する。ゲートウェイ１０１は、例えば、“＋１”を、それがＰＳＴＮ発信であることを示す番号の先頭に付加する。一度“＋１”が番号の先頭に付加されれば、その呼は、ＩＰドメイン内のＮＳ／ＲＳプロキシ（例えば、ＮＳ／ＲＳサーバ１０９）に向けて送信される。
【００３５】
前述のアプローチは、電話通信サービスを支援するために、共有された（または共通の）電話中継回線を能率的に利用するためのメカニズムを有利に提供する。
【００３６】
図５は、本発明に基づく実施例が実行され得るコンピュータシステム５００を例証する。コンピュータシステム５００は、情報を伝達するためのバス５０１または他の通信メカニズムと、情報を処理するためにバス５０１に接続されたプロセッサ５０３とを備える。コンピュータシステム５００は、同様に、プロセッサ５０３によって実行されるべき情報及び命令を格納するためにバス５０１に接続された、ランダムアクセスメモリ（ＲＡＭ）または他の動的記憶装置のようなメインメモリ５０５を備える。メインメモリ５０５は、同様に、プロセッサ５０３による命令の実行の間、一時的な数値変数、または他の中間の情報を格納するために使用され得る。コンピュータシステム５００は、更に、プロセッサ５０３のための静的な情報及び命令を格納するためにバス５０１に接続された、読取専用メモリ（ＲＯＭ）５０７または他の静的記憶装置を備えることができる。磁気ディスクまたは光ディスクのような記憶装置５０９は、情報及び命令を持続的に格納するためにバス５０１と接続される。
【００３７】
コンピュータシステム５００は、情報をコンピュータ利用者に表示するために、バス５０１によって、ブラウン管（ＣＲＴ）、液晶表示装置、アクティブマトリックスディスプレイ、またはプラズマディスプレイのようなディスプレイ５１１に接続されることができる。英数字両用キー及び他のキーを備えるキーボードのような入力装置５１３は、情報及び命令選択をプロセッサ５０３に伝達するために、バス５０１と接続される。マウス、トラックボール、またはカーソル方向キーのような別の種類の利用者入力装置は、方向情報及び命令選択をプロセッサ５０３に伝達するための、そしてディスプレイ５１１上のカーソルの動きを制御するためのカーソル移動制御器５１５である。
【００３８】
本発明の一実施例によれば、図１のシステムにおけるゲートウェイ１０１、そして様々なクライアント及びサーバの処理は、メインメモリ５０５に含まれる命令の配列を実行するプロセッサ５０３に応答してコンピュータシステム５００によって実行される。そのような命令は、記憶装置５０９のような別のコンピュータ読み取り可能な媒体からメインメモリ５０５の中に読み取られ得る。メインメモリ５０５に含まれる命令の配列の実行によって、プロセッサ５０３はここに示された工程段階を遂行する。メインメモリ５０５に含まれる命令を実行するために、マルチプロセッシング装置における１つ以上のプロセッサが同様に使用され得る。これに代る実施例において、本発明の実施例を実行するために、ソフトウェア命令の代わりに、もしくはソフトウェア命令と組み合わせてハードワイヤード回路構成が使用され得る。従って、本発明の実施例は、ハードウェア回路とソフトウェアとの特定の組み合わせに全く制限されない。
【００３９】
コンピュータシステム５００は、同様に、バス５０１と接続される通信インタフェース５１７を備える。通信インタフェース５１７は、地域情報通信網５２１と接続されたネットワークリンク５１９に対する双方向のデータ通信結合を提供する。例えば、通信インタフェース５１７は、データ通信接続を一致する種類の通信回線に提供するためのデジタル加入者回線（ＤＳＬ）カード、または、モデム、総合デジタル通信網（ＩＳＤＮ）カード、ケーブルモデム、電話モデム、または他の通信インタフェースであり得る。別の例として、通信インタフェース５１７は、データ通信接続を互換性があるＬＡＮに提供するための（例えば、Ｅｔｈｅｒｎｅｔ（登録商標）、または非同期転送モード（ＡＴＭ）ネットワークに対する）ローカルエリアネットワーク（ＬＡＮ）カードであり得る。ワイヤレスリンクが、同様に実行され得る。あらゆるそのような実装において、通信インタフェース５１７は、様々な種類の情報を表すデジタルデータストリームを伝送する電気的な信号、電磁気的な信号、もしくは光学的な信号を送信すると共に受信する。更に、通信インタフェース５１７は、ユニバーサルシリアルバス（ＵＳＢ）インタフェース、ＰＣＭＣＩＡ（Personal Computer Memory Card International Association)インタフェース等のような周辺インタフェース装置を備えることができる。図５では単一の通信インタフェース５１７が描写されるが、多重通信インタフェースが同様に使用され得る。
【００４０】
ネットワークリンク５１９は、一般的に１つ以上のネットワークを通じて他のデータ装置に対するデータ通信を提供する。例えば、ネットワークリンク５１９は、地域情報通信網５２１を通じて、ネットワーク５２５（例えば、広域ネットワーク（ＷＡＮ）、またはここで一般的に“インターネット”と言われるグローバルなパケットデータ通信ネットワーク）に対する接続性、もしくは、サービスプロバイダによって操作されたデータ装置に対する接続性を有するホストコンピュータ５２３に対する接続を提供することができる。地域情報通信網５２１、及びネットワーク５２５の両方が、情報及び命令を伝達するために、電気的な信号、電磁気的な信号、もしくは光学的な信号を使用する。様々なネットワークを通る信号、及びネットワークリンク５１９上にあって、かつコンピュータシステム５００とデジタルデータを通信する通信インタフェース５１７を通る信号は、情報及び命令を伝送する代表的な形式の搬送波である。
【００４１】
コンピュータシステム５００は、ネットワーク、ネットワークリンク５１９、及び通信インタフェース５１７を通じて、メッセージを送信すると共に、プログラムコードを含んでいるデータを受信することができる。インターネットの例において、サーバ（図示せず）は、ネットワーク５２５、地域情報通信網５２１、及び通信インタフェース５１７を通じて、本発明の実施例を実行するためのアプリケーションプログラムに属する要求されたコードを送信するであろう。プロセッサ５０３は、送信されたコードを受信しながら実行することができるか、及び／または、後の実行のために、記憶装置５０９または他の不揮発性記憶装置に格納することができる。この方法において、コンピュータシステム５００は、搬送波の形式でアプリケーションコードを獲得することができる。
【００４２】
ここで使用される用語“コンピュータ読み取り可能な媒体”は、実行のためにプロセッサ５０３に対して命令を提供することに参加するあらゆる媒体のことを指す。そのような媒体は、不揮発性の媒体、揮発性の媒体、及び伝送媒体を含むがそれに限定されず、多くの形式を取り得る。例えば、不揮発性の媒体は、記憶装置５０９のような光学ディスクもしくは磁気ディスクを含む。揮発性の媒体は、メインメモリ５０５のようなダイナミックメモリを含む。伝送媒体は、バス５０１を包含するワイヤを含む同軸ケーブル、銅線、及び光ファイバを含む。伝送媒体は、同様に、無線周波数（ＲＦ）データ通信と赤外線（ＩＲ）データ通信との間に生成された波のような、音波、光波、もしくは電磁波の形式を取ることができる。コンピュータ読み取り可能な媒体の共通形式は、例えばフロッピーディスク（登録商標）、フレキシブルディスク、ハードディスク、磁気テープ、他の磁気媒体、ＣＤ‐ＲＯＭ、ＣＤＲＷ、ＤＶＤ、他の光学媒体、パンチカード、紙テープ、光学マークシート、穴のパターンもしくは他の光学的に認識できる印を有する他の物理的媒体、ＲＡＭ、ＰＲＯＭ、及びＥＰＲＯＭ、ＦＬＡＳＨ−ＥＰＲＯＭ、他のメモリチップまたはカートリッジ、搬送波、もしくは、コンピュータが読み取り可能なあらゆる他の媒体を含む。
【００４３】
様々な形式のコンピュータ読み取り可能な媒体は、実行のためにプロセッサに対して命令を提供することに関連し得る。例えば、少なくとも本発明の一部を実行するための命令は、最初はリモートコンピュータの磁気ディスク上で提供され得る。そのような筋書きにおいて、リモートコンピュータは、命令をメインメモリにロードすると共に、モデムを使用して、電話回線を通じて命令を送信する。ローカルコンピュータシステムのモデムは、電話回線を通じてデータを受信すると共に、データを赤外線の信号に変換するために赤外線送信機を使用し、そして赤外線の信号を携帯情報機器（ＰＤＡ）またはラップトップのようなポータブル計算装置に送信する。ポータブル計算装置上の赤外線検出器は、赤外線の信号によって提供された情報及び命令を受信すると共に、データをバス上に置く。バスは、プロセッサがそこから命令を検索して実行するメインメモリへデータを伝達する。メインメモリによって受信された命令は、同様に、プロセッサによる実行の前に、もしくはプロセッサによる実行の後で、記憶装置に任意に格納され得る。
【００４４】
本発明が多くの実施例、及び実装に関連して説明される一方、本発明は、そのように限定されないが、しかし、付加された特許請求の範囲内に含まれる様々な明白な変更、及び同等の装置を保護する。
【図面の簡単な説明】
【００４５】
【図１】共有された市内電話中継方式アプローチを提供することが可能である、本発明の実施例による通信システムの図である。
【図２】レートセンタ（ＲＣ）及び緊急応答機関（ＰＳＡＰ）に従って割当てられるチャンネルを有する、本発明の実施例による電話中継回線の図である。
【図３】図１のシステムに使用されるゲートウェイの構成要素の図である。
【図４】図１のシステムにおける容量を供給するための処理のフローチャートである。
【図５】本発明の実施例を実行するために使用され得るコンピュータシステムの図である。
【符号の説明】
【００４６】
１００    通信システム
１０１    電話通信ゲートウェイ
１０３、１０５    顧客ネットワーク
１０７    公衆データネットワーク
１０９    ネットワークサーバ／リダイレクトサーバ（ＮＳ／ＲＳ）
１１１    ＳＩＰ電話機
１１３    ＳＩＰクライアント
１１５    電話スイッチ
１１７    エンドオフィス
１１９    共有された電話中継回線
１２１    電話通信信号伝達ネットワーク
２０１、２０３、２０５    レートセンタ／緊急応答機関
３０１    番号解析モジュール
３０３    番号変換モジュール
３０５    経路指定モジュール
３０７    時分割多重（ＴＤＭ）スイッチ構造
３０９    音声ポート（ＰＲＩポート）
３１１    音声コントローラ
３１３    ＩＰポート
５００    コンピュータシステム
５０１    バス
５０３    プロセッサ
５０５    メインメモリ
５０７    読取専用メモリ（ＲＯＭ）
５０９    記憶装置
５１１    ディスプレイ
５１３    入力装置
５１５    カーソル移動制御器
５１７    通信インタフェース
５１９    ネットワークリンク
５２１    地域情報通信網
５２３    ホストコンピュータ
５２５    ネットワーク
【図１】
2008533771.tif 000003
【図２】
2008533771.tif 000004
【図３】
2008533771.tif 000005
【図４】
2008533771.tif 000006
【図５】
2008533771.tif 000007
【国際調査報告】
2008533771.tif 000008